(57)【要約】【課題】移動体からの信号を精度よく受信でき、かつ、ごく狭い場所や曲げが加わる場所への布設に好適な交差ケーブルを提供する。【解決手段】収納部材１９は、平行部用溝７及び交差部用溝８が長手方向に対して交互に連接して形成されていると共に、平行部用溝７における２本の溝６間に保持部材用溝９が設けられている第一収納部材１０と、平行部用溝７、交差部用溝８、及び保持部材用溝９を閉塞させるように第一収納部材１０に対向して配置された第二収納部材１１とからなり、平行部３及び交差部４は、平行部用溝７及び交差部用溝８の内部に各々収納されている。【選択図】図１
2010231947.tif 000002
【特許請求の範囲】
【請求項１】
２本の絶縁心線が互いに所定距離を隔てて平行に配置されている平行部、及び上記２本の絶縁心線が互いに交差して配置されている交差部を絶縁心線の長手方向に対して交互に有し、上記平行部における上記２本の絶縁心線間に、上記２本の絶縁心線を所定距離に保持する保持部材が設けられている交差ケーブル本体と、
上記交差ケーブル本体の周囲に設けられて上記平行部及び上記交差部を収納する収納部材とを備えた交差ケーブルであって、
上記収納部材は、２本の溝が互いに所定距離を隔てて平行に配置されてなる平行部用溝、及び上記２本の溝が互いに交差して配置されてなる交差部用溝が長手方向に対して交互に連接して形成されていると共に、上記平行部用溝における上記２本の溝間に、上記２本の溝よりも溝の深さが浅い保持部材用溝が設けられている第一収納部材と、
上記第一収納部材に形成された上記平行部用溝、上記交差部用溝、及び上記保持部材用溝を閉塞させるように上記第一収納部材に対向して配置された第二収納部材とからなり、  上記平行部及び上記交差部は、上記平行部用溝及び上記交差部用溝の内部に各々収納されていることを特徴とする交差ケーブル。
【請求項２】
上記平行部用溝は、上記２本の溝の深さが互いに同じであることを特徴とする請求項１記載の交差ケーブル。
【請求項３】
上記交差部用溝は、上記平行部用溝における溝の深さより溝が深いことを特徴とする請求項１又は２記載の交差ケーブル。
【請求項４】
上記第一収納部材は、上記第二収納部材の厚さよりも薄いことを特徴とする請求項１〜３いずれか記載の交差ケーブル。
【請求項５】
上記第一収納部材は、上記平行部用溝における上記２本の溝の離間間隔が８〜２５ｍｍであり、上記平行部用溝の長手方向の長さが１００〜５００ｍｍであり、上記交差部用溝の長手方向の配置ピッチが２００〜１０００ｍｍであることを特徴とする請求項１〜４いずれか記載の交差ケーブル。
【請求項６】
上記第一収納部材は、厚さが２５〜１００μｍであり、上記第二収納部材は、厚さが１５０〜５００μｍであることを特徴とする請求項１〜５いずれか記載の交差ケーブル。
【発明の詳細な説明】
【技術分野】
【０００１】
本発明は、移動体からの信号を精度よく受信でき、かつ、ごく狭い場所や曲げが加わる場所への布設に好適な交差ケーブルに関する。
【背景技術】
【０００２】
オートメーション工場や立体倉庫等の設備内においては、キャリア等の移動体によって物品を運搬することが一般に行われている。このような移動体には、ループアンテナが搭載されており、このループアンテナによって、移動体の移動位置等を確認するための信号が送信される。一方、移動体の移動空間には、通常、ループアンテナからの信号を受信するためのものとして、移動体から所定距離離れる位置に移動ルートに沿わせた交差ケーブルが布設される。そして、移動体のループアンテナと交差ケーブルとの間で非接触伝送により信号が送受信されることで、移動体の移動位置等の確認が行われる。
【０００３】
図４に示されるように、従来の交差ケーブル１０１は、２本の絶縁心線１０２を有し、これら２本の絶縁心線１０２が互いに所定距離を隔てて平行である平行部１０３と上記２本の絶縁心線１０２が交差した交差部１０５とを長手方向に交互に有する。従来の交差ケーブルでは、交差部１０５と次の交差部１０５との距離である交差ピッチを一定にするために、２本の絶縁心線１０２が交差する交差点１０４を含む交差部１０５を粘着テープ等の固定部材１０６で固定する。
【０００４】
また、固定部材１０６に替えて、交差ケーブルの全長にわたり２本の絶縁心線１０２の周囲を充実に被覆して交差部１０５を固定する被覆層を設けた交差ケーブルもある。
【先行技術文献】
【特許文献】
【０００５】
【特許文献１】特開昭５３−１４０９１５号公報
【特許文献２】特開平１０−２０９９２６号公報
【特許文献３】特開平１０−２０９９２８号公報
【発明の概要】
【発明が解決しようとする課題】
【０００６】
上記設備において、省スペース化のために、ごく狭い場所や交差ケーブルに曲げが加わる場所に交差ケーブルが引き通されて敷設されることがある。このとき図４の交差ケーブル１０１は、引き通される際に、固定部材１０６が何かに引っ掛かるなどして剥がれ、交差部１０５を固定する力が低下することがある。交差部１０５を固定する力が低下すると、移動体と交差ケーブル１０１との間で非接触伝送を行う場合において、移動体のループアンテナから受信した信号のゼロレベルが乱れてしまうため、移動体の移動位置を正確に知ることができなくなる。すなわち、移動体からの信号が精度よく受信できなくなる。
【０００７】
一方、交差ケーブルの全長にわたり２本の絶縁心線の周囲を充実に被覆する被覆層を設けた交差ケーブルでは、交差部を固定する力の低下は防止できるものの、可撓性が低下するおそれがあるため、この交差ケーブルを狭い場所に曲げて敷設するとき、作業性が悪い。
【０００８】
そこで、本発明の目的は、上記課題を解決し、移動体からの信号を精度よく受信でき、かつ、ごく狭い場所や曲げが加わる場所への布設に好適な交差ケーブルを提供することにある。
【課題を解決するための手段】
【０００９】
上記目的を達成するために本発明は、２本の絶縁心線が互いに所定距離を隔てて平行に配置されている平行部、及び上記２本の絶縁心線が互いに交差して配置されている交差部を絶縁心線の長手方向に対して交互に有し、上記平行部における上記２本の絶縁心線間に、上記２本の絶縁心線を所定距離に保持する保持部材が設けられている交差ケーブル本体と、上記交差ケーブル本体の周囲に設けられて上記平行部及び上記交差部を収納する収納部材とを備えた交差ケーブルであって、上記収納部材は、２本の溝が互いに所定距離を隔てて平行に配置されてなる平行部用溝、及び上記２本の溝が互いに交差して配置されてなる交差部用溝が長手方向に対して交互に連接して形成されていると共に、上記平行部用溝における上記２本の溝間に、上記２本の溝よりも溝の深さが浅い保持部材用溝が設けられている第一収納部材と、上記第一収納部材に形成された上記平行部用溝、上記交差部用溝、及び上記保持部材用溝を閉塞させるように上記第一収納部材に対向して配置された第二収納部材とからなり、上記平行部及び上記交差部は、上記平行部用溝及び上記交差部用溝の内部に各々収納されているものである。
【００１０】
上記平行部用溝は、上記２本の溝の深さが互いに同じであってもよい。
【００１１】
上記交差部用溝は、上記平行部用溝における溝の深さより溝が深くてもよい。
【００１２】
上記第一収納部材は、上記第二収納部材の厚さよりも薄くてもよい。
【００１３】
上記第一収納部材は、上記平行部用溝における上記２本の溝の離間間隔が８〜２５ｍｍであり、上記平行部用溝の長手方向の長さが１００〜５００ｍｍであり、上記交差部用溝の長手方向の配置ピッチが２００〜１０００ｍｍであってもよい。
【００１４】
上記第一収納部材は、厚さが２５〜１００μｍであり、上記第二収納部材は、厚さが１５０〜５００μｍであってもよい。
【発明の効果】
【００１５】
本発明によれば、移動体からの信号を精度良く受信でき、かつ、ごく狭い場所や曲げが加わる場所への敷設に好適な交差ケーブルを提供することができる。
【図面の簡単な説明】
【００１６】
【図１】本発明の一実施形態を示す交差ケーブルの図であり、（ａ）は交差ケーブルの平面図、（ｂ）は絶縁心線の断面図、（ｃ）はＡ−Ａ線断面図、（ｄ）はＢ−Ｂ線断面図である。
【図２】本発明の他の実施形態を示す交差ケーブルの絶縁心線と保持部材の断面図である。
【図３】（ａ）、（ｂ）は、２本の絶縁心線の組み方が異なる２種の交差ケーブル本体の側面図である。
【図４】従来の交差ケーブルの平面図である。
【発明を実施するための形態】
【００１７】
以下、本発明の一実施形態を添付図面に基づいて詳述する。
【００１８】
図１に示されるように、本発明に係る交差ケーブル１は、２本の絶縁心線２が互いに所定距離を隔てて平行に配置されている平行部３、及び２本の絶縁心線２が互いに交差して配置されている交差部４を絶縁心線２の長手方向に対して交互に有し、平行部３における２本の絶縁心線２間に、２本の絶縁心線２を所定距離に保持する保持部材５が設けられている交差ケーブル本体１４と、交差ケーブル本体１４の周囲に設けられて平行部３及び交差部４を収納する収納部材１９とを備えた交差ケーブル１であって、収納部材１９は、２本の溝６が互いに所定距離を隔てて平行に配置されてなる平行部用溝７、及び２本の溝６が互いに交差して配置されてなる交差部用溝８が長手方向に対して交互に連接して形成されていると共に、平行部用溝７における２本の溝６間に、２本の溝６よりも溝の深さが浅い保持部材用溝９が設けられている第一収納部材１０と、第一収納部材１０に形成された平行部用溝７、交差部用溝８、及び保持部材用溝９を閉塞させるように第一収納部材１０に対向して配置された第二収納部材１１とからなり、平行部３及び交差部４は、平行部用溝７及び交差部用溝８の内部に各々収納されているものである。
【００１９】
絶縁心線２は、図１（ｂ）に示されるように、銅からなる導体１２の周囲をポリエチレンからなる絶縁体１３にて絶縁被覆したものである。
【００２０】
平行部３では、２本の絶縁心線２を所定距離に保持するために保持部材５が絶縁心線２間に配置される。これにより、２本の絶縁心線２と保持部材５とが一体となる。保持部材５は、ポリエチレンからなる。
【００２１】
交差部４では、２本の絶縁心線２間に保持部材５がなく、２本の絶縁心線２間はスリット部１６となっている。スリット部１６は、いったん長手方向に連続的に形成した保持部材５を交差部４のところだけ取り除いて形成してもよい。保持部材５の形成を断続的に行うことで、保持部材５とスリット部１６とを交互に形成してもよい。スリット部１６において、２本の絶縁心線２を交差させることで、長手方向に所定間隔で交差部４が形成される。
【００２２】
一体化された２本の絶縁心線２と保持部材５とからなる平行部３、及び交差部４を有する交差ケーブル本体１４が第一収納部材１０内に配置される。絶縁心線２と保持部材５は、接着剤により溝６及び保持部材用溝９に接着されてもよい。
【００２３】
第一収納部材１０は、２本の溝６が互いに所定距離を隔てて平行に配置されてなる平行部用溝７、及び２本の溝６が互いに交差して配置されてなる交差部用溝８とを長手方向に対して交互に連接して形成されていると共に、平行部用溝７における２本の溝６間に、２本の溝６よりも溝の深さが浅い保持部材用溝９が設けられている。ここで、溝の深さは、溝６の幅方向外側に形成された合わせしろ１７を基準として長手方向に対し直交かつ幅方向に対して直交する方向に測る。溝６の形状は、例えば、Ｕ字状、Ｖ字状などがあげられる。
【００２４】
交差部４は、２本の絶縁心線２同士が交差している交差部分を指す。同様に交差部用溝８は、２本の溝６同士が交差している溝を指す。交差部４における交差点の交差ケーブル本体１４の長手方向に対する配置ピッチ（交差ピッチ）Ｌｐは、交差部用溝８の溝６の長手方向に対する配置ピッチと等しい。また、平行部３の交差ケーブル本体１４の長手方向に対する長さＬｈは、平行部用溝７の溝６の長手方向に対する長さと等しい。
【００２５】
第二収納部材１１は、その長手方向に対して全体が平坦な部材からなり、第一収納部材１０の溝６及び保持部材用溝９が形成されている部分を除く平坦部分（合わせしろ１７）に面で接するとともに、溝６及び保持部材用溝９の開口部、すなわち、平行部用溝７、交差部用溝８、及び保持部材用溝９を全て覆うように第一収納部材１０に対向配置される。
【００２６】
平行部用溝７における２本の溝６の深さは同じである。溝６は、絶縁心線２の外周が嵌合するよう部分的に円形に形成されている。保持部材用溝９は、保持部材５の平坦面に面で接するよう平坦に形成されている。交差部用溝８では、２本の溝６が交差し、この交差した溝の深さが平行部用溝７における溝６の深さと同じである。平行部用溝７において、交差ケーブル本体１４と第二収納部材１１との間には、間隙１８を有する。平行部用溝７において、２本の絶縁心線２は同一平面上に配置されている。
【００２７】
交差部用溝８における溝６の深さは、交差部４で立体的に交差する２本の絶縁心線２が収容できる深さである。交差部用溝８において、２本の絶縁心線２は、第二収納部材１１に対して垂直な方向に配置される。交差部用溝８において、２本の絶縁心線２は、互いに接している。
【００２８】
第二収納部材１１は、長手方向にも幅方向にも全面的に平坦に形成されている。第二収納部材１１は、平行部用溝７、交差部用溝８、及び保持部材用溝９を閉塞させるように第一収納部材１０に対向して配置されている。第二収納部材１１は、第一収納部材１０の合わせしろ１７に密着させて固定される。
【００２９】
第一収納部材１０と第二収納部材１１の固定方法としては、圧接、融着、あるいは第二収納部材１１の表面に図示しない接着層を設けてこの接着層と第一収納部材１０とを接着する方法があるが、これらに限定されない。
【００３０】
第一収納部材１０と第二収納部材１１の材料は、例えば、ゴム系材料、ポリエチレンテレフタート（ＰＥＴ）などのプラスチック系材料である。
【００３１】
第一収納部材１０の厚さは、第二収納部材１１の厚さよりも薄い。第一収納部材１０は、厚さが２５〜１００μｍであり、第二収納部材１１は、厚さが１５０〜５００μｍである。
【００３２】
第一収納部材１０は、平行部用溝７における２本の溝６の離間間隔が８〜２５ｍｍであり、平行部用溝７の長手方向の長さが１００〜５００ｍｍであり、交差部用溝８の長手方向の配置ピッチが２００〜１０００ｍｍである。
【００３３】
以下、本発明の交差ケーブル１の作用効果を説明する。
【００３４】
本発明の交差ケーブル１は、交差ピッチのばらつきを抑え、精度良く信号を受信することができると共に、ごく狭い場所や曲げが加わる場所に好適に布設することができる。
【００３５】
すなわち、本発明の交差ケーブル１においては、交差ケーブル本体１４は、平行部３における絶縁心線２間にこれら２本の絶縁心線２を所定距離に保持する保持部材５が設けられている。一方、収納部材１９は、２本の溝６が互いに所定距離を隔てて平行に配置されてなる平行部用溝７及び２本の溝７が互いに交差して配置されてなる交差部用溝８が長手方向に対して交互に連接して形成されていると共に平行部用溝７における２本の溝６間に２本の溝６よりも溝の深さが浅い保持部材用溝９が設けられている第一収納部材１０を備える。
【００３６】
したがって、本発明の交差ケーブル１は、絶縁心線２の交差ピッチＬｐが第一収納部材１０の交差部用溝８の長手方向の配置ピッチで決定され、常に一定に保持されるため、第一収納部材１０及び第二収納部材１１に曲げ応力が加わって絶縁心線２に曲げ応力が加わった場合でも、交差部用溝８の配置ピッチによって交差ピッチＬｐは維持される。これと同時に、第一収納部材１０と第二収納部材１１によって交差ケーブル本体１４の交差部４が保持されていることから、交差ピッチＬｐにばらつきが生じることが防止され、従来のように交差ピッチが乱れて移動体の位置を正確に知ることができなくなることがない。すなわち、本発明の交差ケーブル１は、ごく狭い場所や曲げが加わる場所へ布設された場合でも、移動体からの信号が精度よく受信できる。
【００３７】
本発明の交差ケーブル１は、絶縁心線２及び保持部材５が第一収納部材１０の溝６及び保持部材用溝９内に収納されており、この溝６及び保持部材用溝９を閉塞するように第二収納部材１１が第一収納部材１０に対向して配置されているので、絶縁心線２が正しく平行部３と交差部４を形成しているかどうか目視により確認することができるとともに、平行部３、交差部４が長手方向のどの位置に配置されているかを、交差ケーブル１の外観を目視しただけで確認することができる。
【００３８】
本発明の交差ケーブル１は、第一収納部材１０の保持部材用溝９に収容された保持部材５が第二収納部材１１から間隙１８を隔てて配置されている。このため、交差ケーブル１に曲げが加わった場合でも、絶縁心線２にかかる曲げ応力を間隙１８によって緩和することができる。これにより、交差ケーブル１を曲げて敷設するとき、交差ケーブル１が曲がりやすく、作業性がよい。また、外側から応力が加わっても絶縁心線２が損傷することを防止できる。
【００３９】
本発明の交差ケーブル１は、第一収納部材１０の平行部用溝７における２本の溝６の深さが同じであるため、平行部３における２本の絶縁心線２が同一平面上に並ぶ。これにより、２本の絶縁心線２が第二収納部材１１から等距離に保持され、２本の絶縁心線２から図示しない移動体までの距離を常に一定の距離に保持することができる。よって、移動体からの信号を精度良く受信することができる。
【００４０】
本発明の交差ケーブル１は、第一収納部材１０において、交差部用溝８における溝６の深さと平行部用溝７における溝６の深さとが等しいことにより、第一収納部材１０に交差ケーブル本体１４を収容した状態で、平坦な表面を有する第二収納部材１１でもって溝６と保持部材用溝９を閉塞することができる。このため、ごく狭い場所や曲げが加わる場所に交差ケーブル１を布設する際に、第二収納部材１１の平坦（平滑）な表面を布設場所の平坦な表面に当てるなどして平行部３における２本の絶縁心線２が形成する平面が移動体と正対するように設置することで、２本の絶縁心線２から図示しない移動体までの距離を常に一定の距離に保持することができる。
【００４１】
本発明の交差ケーブル１は、第一収納部材１０が２５〜１００μｍの厚さを有し、第二収納部材１１が１５０〜５００μｍの厚さを有する。第一収納部材１０の厚さが２５μｍ未満、第二収納部材１１の厚さが１５０μｍ未満であると、曲げに耐え得る強度、あるいは引き通される際に必要な摩耗性など機械的特性が不十分になるおそれがある。また、第一収納部材１０の厚さが１００μｍ超、第二収納部材１１の厚さが５００μｍ超であると、可撓性が低下してしまうおそれがある。
【００４２】
本発明の交差ケーブル１は、第一収納部材１０の平行部用溝７における２本の溝６の離間間隔が８〜２５ｍｍであり、平行部用溝７の長手方向の長さが１００〜５００ｍｍであり、交差部用溝８の長手方向の配置ピッチが２００〜１０００ｍｍである。これにより、平行部３における２本の絶縁心線２の離間間隔が８〜２５ｍｍとなり、平行部３の長手方向の長さが１００〜５００ｍｍとなり、交差部４の長手方向の配置ピッチが２００〜１０００ｍｍとなる。このような構成を備えることにより、非接触伝送を行うときの使用周波数が１００ＭＨｚ以下の帯域である場合において、外部からの電磁波（ノイズ）を効果的に遮断することができ、移動体からの信号が精度よく受信できる。
【００４３】
保持部材５の厚さＴ１は、（絶縁体１３の外径Ｄ−導体１２の外径ｄ）／２の前後がよい。交差ケーブル１を作製する際に、２本の絶縁心線２間に押出によって保持部材５を形成するが、保持部材５の厚さＴ１が薄すぎると、均一な厚さの保持部材５を押し出して形成することが難しく、押出速度を遅くして作業するなど、作業性が悪い。保持部材５の厚さＴ１が厚すぎると、曲げにくく、可撓性が低下すると共に、交差ケーブル１の重さが重くなる。
【００４４】
図２に示されるように、本発明の他の実施形態に係る交差ケーブルにおいて、交差ケーブル本体２１は、２本の絶縁心線２と、平行部３における絶縁心線２間に配置されこれら２本の絶縁心線２を所定距離に保持する保持部材２２とを備える。図１の交差ケーブル本体１４の保持部材５が溝の深さ方向に対称であるのに対し、交差ケーブル本体２１の保持部材２２は、第二収納部材（図示せず）がある方向（図２の右）に突き出た凸部２３を有する。凸部２３は、交差部４における絶縁心線２（破線）の側面まで突き出ている。また、交差部４におけるもう一本の絶縁心線２（一部実線一部破線）は平行部３における絶縁心線２よりも第二収納部材（図示せず）の反対方向（図２の左）に出ている。
【００４５】
交差ケーブル本体２１を収納するための収納部材（図示せず）においては、交差部用溝は、平行部用溝における溝の深さより溝が深いことになる。
【００４６】
次に、交差ケーブル本体における２本の絶縁心線の組み方について説明する。
【００４７】
図３（ａ）に示されるように、交差ケーブル本体１１１は、２本の絶縁心線１１２ａ，１１２ｂが互いに所定距離を隔てて平行に配置されている平行部１１３及び２本の絶縁心線１１２ａ，１１２ｂが互いに交差して配置されている交差部１１４を長手方向に対して交互に有する。平行部１１３には、２本の絶縁心線１１２ａ，１１２ｂ間にこれら絶縁心線１１２ａ，１１２ｂを所定距離に保持する保持部材１１６が設けられている。
【００４８】
図３（ａ）に示した交差ケーブル本体１１１では、長手方向に順に数えてｍ番目（ｍは自然数）の交差部１１４ｍにおいて、ハッチングで示した第１絶縁心線１１２ａが無ハッチングで示した第２絶縁心線１１２ｂより手前（表側）に位置し、第２絶縁心線１１２ｂは第１絶縁心線１１２ａの向こう（裏側）に隠れて位置する。ｍ＋１番目の交差部１１４ｍ＋１では、第２絶縁心線１１２ｂが手前に表れ、第１絶縁心線１１２ａは向こうに隠れる。ｍ＋２番目の交差部１１４ｍ＋２では、第１絶縁心線１１２ａが手前に表れ、第２絶縁心線１１２ｂが向こうに隠れる。
【００４９】
このように、交差ケーブル本体１１１では、第１絶縁心線１１２ａと第２絶縁心線１１２ｂとが交差部１１４の１個ごとに交互に重なり位置を反転する交差方法が採用されている。
【００５０】
図３（ｂ）に示されるように、交差ケーブル本体１２１は、２本の絶縁心線１２２ａ，１２２ｂが互いに所定距離を隔てて平行に配置されている平行部１２３及び２本の絶縁心線１２２ａ，１２２ｂが互いに交差して配置されている交差部１２４を長手方向に対して交互に有する。平行部１２３には、２本の絶縁心線１２２ａ，１２２ｂ間にこれら絶縁心線１２２ａ，１２２ｂを所定距離に保持する保持部材１２６が設けられている。
【００５１】
図３（ｂ）に示した交差ケーブル本体１２１では、長手方向に順に数えてｍ番目（ｍは自然数）の交差部１２４ｍにおいて、ハッチングで示した第１絶縁心線１２２ａが無ハッチングで示した第２絶縁心線１２２ｂより手前（表側）に位置し、第２絶縁心線１２２ｂは第１絶縁心線１２２ａの向こう（裏側）に隠れて位置する。ｍ＋１番目の交差部１２４ｍ＋１においても、第１絶縁心線１２２ａが第２絶縁心線１２２ｂより手前に位置する。ｍ＋２番目の交差部１２４ｍ＋２において、第２絶縁心線１２２ｂが手前に表れ、第１絶縁心線１２２ａは向こうに隠れる。ｍ＋３番目の交差部１２４ｍ＋３においても、第２絶縁心線１２２ｂが手前に位置する。ｍ＋４番目の交差部１２４ｍ＋４では、第１絶縁心線１２２ａが手前に表れ、第２絶縁心線１２２ｂは向こうに隠れる。
【００５２】
交差ケーブル本体１２１では、第１絶縁心線１２２ａが連続した２個の交差部１２４で表側に位置し、その次の連続した２個の交差部１２４で裏側に位置する。第１絶縁心線１２２ａが表側に位置する連続した２個の交差部１２４を第１交差部群とし、逆に、第２絶縁心線１２２ｂが表側に位置する連続した２個の交差部１２４を第２交差部群とすると、第１交差部群と第２交差部群が長手方向に交互に存在することになる。このように、交差ケーブル本体１２１では、第１絶縁心線１２２ａと第２絶縁心線１２２ｂとが交差部１２４の２個ごとに交互に重なり位置を反転する交差方法が採用されている。
【符号の説明】
【００５３】
１  交差ケーブル
２  絶縁心線
３  平行部
４  交差部
５  保持部材
６  溝
７  平行部用溝
８  交差部用溝
９  保持部材用溝
１０  第一収納部材
１１  第二収納部材
１４  交差ケーブル本体
１６  スリット部
１７  合わせしろ
１８  間隙
１９  収納部材
【図１】
2010231947.tif 000003
【図２】
2010231947.tif 000004
【図３】
2010231947.tif 000005
【図４】
2010231947.tif 000006